(57)【要約】【課題】光源駆動方法、これを実行するための光源装置及びこれを有する表示装置を提供する。【解決手段】本発明の駆動方法は、複数の発光ブロックが複数の駆動ブロックに分けられた光源を、画像信号の階調データに基づいて各発光ブロック別に駆動する方法であって、画像信号の階調データに対応する輝度より高い輝度で駆動される特定発光ブロックが存在する場合、特定発光ブロックが含まれる特定駆動ブロックを駆動する駆動電圧及び特定駆動ブロックを除いた別の駆動ブロックを駆動する駆動電圧を特定発光ブロックに印加して特定発光ブロックの輝度を増加させる。【選択図】図２
2010122682.tif 000002
【特許請求の範囲】
【請求項１】
複数の発光ブロックをそれぞれ有する駆動ブロックを利用し、画像信号の階調データに基づいてノーマルモード及び増加させた輝度モードで光源を駆動する光源駆動方法であって、
前記増加させた輝度モードの間、前記ノーマルモードの間に前記駆動ブロックの第１駆動ブロックを駆動する第１駆動電圧と、前記ノーマルモードの間に駆動ブロックの第２駆動ブロックを駆動する第２駆動電圧とを前記第１駆動ブロックに印加し、前記第１駆動ブロックが前記画像信号の階調データに対応する輝度より大きな輝度値によって駆動される時、前記第１駆動ブロックの輝度を増加させることを特徴とする光源駆動方法。
【請求項２】
前記第２駆動ブロックは、前記第１発光ブロックに隣接することを特徴とする請求項１に記載の光源駆動方法。
【請求項３】
前記増加させた輝度モードは、ブースティングモード及びスキャニングモードのうちの少なくとも１つを含むことを特徴とする請求項１に記載の光源駆動方法。
【請求項４】
前記第１駆動ブロックの輝度レベルは、前記第２駆動ブロックの輝度レベルより高いことを特徴とする請求項１に記載の光源駆動方法。
【請求項５】
複数の発光ブロックをそれぞれ含む第１駆動ブロック及び第２駆動ブロックと、
第１出力端子及び第２出力端子を各々有する第１駆動チップ及び第２駆動チップと、
前記第１出力端子及び前記第２出力端子に接続され、互いに並列に電気的に接続された複数のスイッチング素子を含み、前記第１出力端子から印加される第１駆動電圧及び前記第２出力端子から印加される第２駆動電圧のうちの少なくとも１つを前記第１駆動ブロック及び前記第２駆動ブロックのうちの少なくとも１つに選択的に印加するように構成されたスイッチング部と、
前記第１駆動ブロックが画像信号の階調データに対応する輝度より大きな輝度値によって駆動される時、前記第１駆動ブロックに接続された複数のスイッチング素子のうちの第１スイッチング素子をターンオンし、前記第２駆動ブロックに接続された前記複数のスイッチング素子のうちの第２スイッチング素子をターンオフして前記第１駆動ブロックの輝度を増加させるスイッチング制御部と、を備えることを特徴とする光源装置。
【請求項６】
画像を表示する表示パネルと、
前記表示パネルに光を提供し、複数の発光ブロックをそれぞれ含む第１駆動ブロック及び第２駆動ブロックを有する光源モジュールと、
第１駆動チップが第１出力端子に第１駆動電圧を出力するように構成され、第２駆動チップが第２出力端子に第２駆動電圧を出力するように構成されて前記第１出力端子及び前記第２出力端子を各々有する前記第１駆動チップ及び前記第２駆動チップと、
前記第１出力端子及び前記第２出力端子に接続され、互いに並列に電気的に接続された複数のスイッチング素子を含み、前記第１出力端子から印加される第１駆動電圧及び前記第２出力端子から印加される第２駆動電圧のうちの少なくとも１つを前記第１駆動ブロック及び前記第２駆動ブロックのうちの少なくとも１つに選択的に印加するように構成されたスイッチング部と、
前記第１駆動ブロックが画像信号の階調データに対応する輝度より大きな輝度値によって駆動される時、前記第１駆動ブロックに接続された複数のスイッチング素子のうちの第１スイッチング素子をターンオンし、前記第２駆動ブロックに接続された前記複数のスイッチング素子のうちの第２スイッチング素子をターンオフして前記第１駆動ブロックの輝度を増加させるスイッチング制御部と、を備えることを特徴とする表示装置。
【請求項７】
前記第１駆動ブロックの輝度は、前記第２駆動ブロックの輝度より大きいことを特徴とする請求項６に記載の表示装置。
【請求項８】
前記第１駆動チップ及び前記第２駆動チップのそれぞれは、
前記第１駆動チップ及び前記第２駆動ブロックに含まれる複数の発光ブロックのうちの各発光ブロックの出力端子に接続された入力端子を有し、該入力端子に印加されるフィードバック信号に基づいて前記発光ブロックそれぞれに印加される駆動電流の大きさを制御する多チャネル電流制御部と、
前記多チャネル電流制御部から出力された制御信号に基づいて前記第１駆動ブロック及び前記第２駆動ブロックのうちの何れか１つに印加される前記第１駆動電圧及び第２駆動電圧の大きさを変換するＤＣ−ＤＣ変換部と、を含み、
前記ＤＣ−ＤＣ変換部は、
一端が電圧源と電気的に接続されたインダクタと、
前記インダクタの他端と接地端との間に電気的に接続されたスイッチング素子と、
前記インダクタ及び前記スイッチング素子の出力端子に電気的に接続されたダイオードと、
前記ダイオードのカソード端と前記接地端との間に接続されたキャパシタと、を含むことを特徴とする請求項６に記載の表示装置。
【請求項９】
前記第１駆動ブロック及び前記第２駆動ブロックに含まれる複数の発光ブロックの各発光ブロックの出力端子にそれぞれ接続された出力制御スイッチング素子を更に含み、
前記スイッチング制御部は、前記発光ブロックのそれぞれの駆動モードに基づいて前記出力制御スイッチング素子をターンオン又はターンオフし、
前記スイッチング制御部は、前記出力制御スイッチング素子がターンオフされた状態で、前記第１スイッチング素子及び前記第２スイッチング素子を制御して前記第１駆動電圧及び前記第２駆動電圧のうちの少なくとも１つを変更することを特徴とする請求項６に記載の表示装置。
【請求項１０】
前記複数の発光ブロックのうちの発光ブロックのそれぞれは、互いに直列に接続された複数の発光ブロックを含むことを特徴とする請求項６に記載の表示装置。
【請求項１１】
前記複数の発光ブロックのうちの発光ブロックのそれぞれは、
互いに直列に接続された複数の赤色発光ダイオードと、
互いに直列に接続された複数の緑色発光ダイオードと、
互いに直列に接続された複数の青色発光ダイオードと、を含むことを特徴とする請求項６に記載の表示装置。
【発明の詳細な説明】
【技術分野】
【０００１】
本発明は、光源駆動方法、これを実行するための光源装置及びこれを有する表示装置に関し、より詳しくは、複数の発光ブロックを個別的に駆動する光源駆動方法、これを実行するための光源装置及びこれを有する表示装置に関する。
【背景技術】
【０００２】
一般的に、液晶表示装置は、液晶の光透過率を利用して画像を表示する液晶表示パネル、及び液晶表示パネルの下部に配置されて液晶表示パネルに光を提供するバックライトアセンブリを含む。
【０００３】
バックライトアセンブリは、液晶表示パネルに画像を表示するために必要な光を発生する光源を含む。光源としては、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）、平板蛍光ランプ（Ｆｌａｔ  Ｆｌｕｏｒｅｓｃｅｎｔ  Ｌａｍｐ：ＦＦＬ）、発光ダイオード（Ｌｉｇｈｔ  Ｅｍｉｔｔｉｎｇ  Ｄｉｏｄｅ：ＬＥＤ）などが代表的である。
【０００４】
冷陰極蛍光ランプ又は平板蛍光ランプを光源として採用する場合、電力消費が大きく、発熱によって液晶表示装置の素子特性が悪くなる。また、衝撃に弱く破損の危険が大きく、ランプの温度が一定せず部位別にランプの輝度が異なるようになって画質を低下させることが生じる。
【０００５】
一方、発光ダイオードは、チップ（ｃｈｉｐ）形態で製作することができるため、寿命が長く、点灯速度が速く消費電力が少ない特性を有する。これにより、バックライトアセンブリの光源として発光ダイオードが多く採用されている。
【０００６】
発光ダイオードを光源として採用するバックライトアセンブリは、複数の駆動ブロックに分けられた光源モジュール、及び各駆動ブロックと電気的に接続されて各駆動ブロックに含まれる発光ブロックを駆動するための駆動電圧を提供する複数のＤＣ−ＤＣ変換部を含んでいる。ＤＣ−ＤＣ変換部の個数は、駆動ブロックの個数に対応し、最大出力は、発光ブロックに含まれる発光ダイオードがフルホワイトで駆動される条件に合わせて決まる。
【０００７】
しかし、従来のように、ＤＣ−ＤＣ変換部を駆動ブロックの個数に対応するように構成する場合、液晶表示装置が大型化することによって、ＤＣ−ＤＣ変換部の個数も増加するようになる。つまり、これは費用の増加につながる。また、特定発光ブロックをホワイト駆動の時の輝度レベルより、数倍高い輝度レベルで駆動する場合が発生するが、従来の構成によると、ＤＣ−ＤＣ変換部の出力仕様を、駆動条件に合わせて高出力仕様に構成しなければならないため、費用が増加する。
【発明の概要】
【発明が解決しようとする課題】
【０００８】
本発明は、上記従来の問題点に鑑みてなされたものであって、本発明の目的は、発光ブロックを効率的に駆動するための光源駆動方法を提供することにある。
【０００９】
本発明の他の目的は、この光源駆動方法の実行に適合した光源装置を提供することにある。
【００１０】
本発明の更に他の目的は、この光源装置を具備する表示装置を提供することにある。
【課題を解決するための手段】
【００１１】
上記目的を達成するためになされた本発明の一特徴による光源駆動方法は、複数の発光ブロックをそれぞれ有する駆動ブロックを利用し、画像信号の階調データに基づいてノーマルモード及び増加させた輝度モードで光源を駆動する光源駆動方法であって、前記増加させた輝度モードの間、前記ノーマルモードの間に前記駆動ブロックの第１駆動ブロックを駆動する第１駆動電圧と、前記ノーマルモードの間に前記駆動ブロックの第２駆動ブロックを駆動する第２駆動電圧と、を前記第１駆動ブロックに印加し、前記第１駆動ブロックが前記画像信号の階調データに対応する輝度より大きな輝度値によって駆動される時、前記第１駆動ブロックの輝度を増加させる。
【００１２】
本発明の実施形態において、前記第２駆動ブロックは、前記第１発光ブロックに隣接してもよい。
【００１３】
本発明の実施形態において、前記増加させた輝度モードは、ブースティングモード及びスキャニングモードのうちの少なくとも１つを含んでもよい。
【００１４】
本発明の実施形態において、前記第１駆動ブロックの輝度レベルは、前記第２駆動ブロックの輝度レベルより高くてもよい。
【００１５】
上記他の目的を達成するためになされた本発明の一特徴による光源装置は、第１駆動ブロック、第２駆動ブロック、１駆動チップ、第２駆動チップ、スイッチング部、及びスイッチング制御部を備える。前記第１駆動ブロック及び第２駆動ブロックは、複数の発光ブロックをそれぞれ含む。前記１駆動チップ及び第２駆動チップは、第１出力端子及び第２出力端子を各々有する。前記スイッチング部は、前記第１出力端子及び前記第２出力端子に接続され、互いに並列に電気的に接続された複数のスイッチング素子を含み、前記第１出力端子から印加される第１駆動電圧及び前記第２出力端子から印加される第２駆動電圧のうちの少なくとも１つを前記第１駆動ブロック及び前記第２駆動ブロックのうちの少なくとも１つに選択的に印加するように構成される。前記スイッチング制御部は、前記第１駆動ブロックが画像信号の階調データに対応する輝度より大きな輝度値によって駆動される時、前記第１駆動ブロックに接続された複数のスイッチング素子のうちの第１スイッチング素子をターンオンし、前記第２駆動ブロックに接続された前記複数のスイッチング素子のうちの第２スイッチング素子をターンオフして前記第１駆動ブロックの輝度を増加させる。
【００１６】
上記更に他の目的を達成するためになされた本発明の一特徴による表示装置は、表示パネル、光源モジュール、第１駆動チップ、第２駆動チップ、スイッチング部、及びスイッチング制御部を備える。前記表示パネルは画像を表示する。前記光源モジュールは、前記表示パネルに光を提供し、複数の発光ブロックをそれぞれ含む第１駆動ブロック及び第２駆動ブロックを有する。前記第１駆動チップ及び第２駆動チップは、第１出力端子と第２出力端子を各々有する。前記第１駆動チップは、前記第１出力端子に第１駆動電圧を出力するように構成され、前記第２駆動チップは、前記第２出力端子に第２駆動電圧を出力するように構成される。前記スイッチング部は、前記第１出力端子及び前記第２出力端子に接続され、互いに並列に電気的に接続された複数のスイッチング素子を含み、前記第１出力端子から印加される第１駆動電圧及び前記第２出力端子から印加される第２駆動電圧のうちの少なくとも１つを前記第１駆動ブロック及び前記第２駆動ブロックのうちの少なくとも１つに選択的に印加するように構成される。前記スイッチング制御部は、前記第１駆動ブロックが画像信号の階調データに対応する輝度より大きな輝度値によって駆動される時、前記第１駆動ブロックに接続された複数のスイッチング素子のうちの第１スイッチング素子をターンオンし、前記第２駆動ブロックに接続された前記複数のスイッチング素子のうちの第２スイッチング素子をターンオフして前記第１駆動ブロックの輝度を増加させる。
【発明の効果】
【００１７】
本発明の光源駆動方法、これを実行するための光源装置及びこれを有する表示装置によれば、画像信号の階調データに対応する輝度より高い輝度で駆動される特定発光ブロックが存在する場合、別の駆動ブロックに供給される駆動電圧を特定発光ブロックに集中させることができるため、ＤＣ−ＤＣ変換部の出力仕様を特定駆動条件に合わせて高出力仕様に設計しなくてもよい。また、１つのＤＣ−ＤＣ変換部に複数の駆動ブロックを接続することができるため、ＤＣ−ＤＣ変換部の個数を減らすことができる。従って、製造費用が節減できる。
【図面の簡単な説明】
【００１８】
【図１】本発明の一実施形態による表示装置のブロック図である。
【図２】図１に示す光源駆動部の一駆動例による回路図である。
【図３】図２に示すＤＣ−ＤＣ変換部の回路図である。
【図４】ブースティングモードの時の光源駆動方法を説明するために示す光源モジュールの平面図である。
【図５】スキャニングモードの時の光源駆動方法を説明するために示す光源モジュールの平面図である。
【図６】図１に示す光源駆動部の他の駆動例による回路図である。
【発明を実施するための形態】
【００１９】
以下、本発明の光源駆動方法、これを実行するための光源装置及びこれを有する表示装置を実施するための形態を、図面を参照しながらより詳しく説明する。
本発明は、多様な変更を加えることができ、様々な形態を有することができる。特定の実施形態を図面と共に例示して本明細書で詳しく説明するが、これは本発明を特定の開示形態に限定しようとするものではなく、本発明の思想及び技術範囲に含まれる全ての変更、均等物、もしくは代替物を含むものと理解すべきである。各図面を説明しながら類似する参照符号を類似する構成要素に対して使用した。図面において、構造物のサイズは本発明を明確にするために実際より拡大して示した。第１、第２などの用語は多様な構成要素を説明するにあたって使用することができるが、各構成要素は使用する用語によって限定されるものではない。各用語は１つの構成要素を他の構成要素と区別する目的で使用するものであって、例えば、明細書中において、第１構成要素を第２構成要素に書き換えることも可能であり、同様に第２構成要素を第１構成要素とすることができる。単数表現は文脈上、明白に異なる意味を有しない限り、複数の表現を含む。
【００２０】
本明細書において、「含む」又は「有する」などの用語は、明細書上に記載された特徴、数字、段階、動作、構成要素、部分品、又はこれらを組み合わせたものが存在することを示すものであって、１つ又はそれ以上の別の特徴、数字、段階、動作、構成要素、部分品、又はこれらを組み合わせたものの存在又は付加可能性を予め排除しないことと理解すべきである。また、層、膜、領域、板などの部分が他の部分の「上に」あるとする場合、これは他の部分の「すぐ上に」ある場合のみでなく、その中間に更に他の部分がある場合も含む。反対に、層、膜、領域、板などの部分が他の部分の「下に」あるとする場合、これは他の部分の「すぐ下に」ある場合のみでなく、その中間に更に他の部分がある場合も含む。
【００２１】
図１は、本発明の一実施形態による表示装置のブロック図である。
【００２２】
図１を参照すると、本実施形態による表示装置は、表示パネル１００、タイミング制御部１１０、パネル駆動部１３０、光源モジュール２００、及びローカル調光駆動部３００を含む。
【００２３】
表示パネル１００は、画像を表示する複数の画素を含む。各画素Ｐは、ゲートラインＧＬ及びデータラインＤＬに接続されたスイッチング素子ＴＲ、スイッチング素子ＴＲに接続された液晶キャパシタＣＬＣ、及びストレージキャパシタＣＳＴを含む。表示パネル１００は、複数の表示ブロックＤＢに分けることができる。表示ブロックＤＢは、ｍ×ｎ個である（ここで、ｍ、ｎは自然数）
【００２４】
タイミング制御部１１０は、外部から制御信号ＣＳ及び画像信号ＤＳを受信する。制御信号ＣＳは、垂直同期信号Ｖｓｙｎｃ、水平同期信号Ｈｓｙｎｃ、メインクロック信号ＭＣＬＫ、データイネーブル信号などを含むことができる。垂直同期信号Ｖｓｙｎｃは、１フレームが表示されるのにかかる時間を示す。水平同期信号Ｈｓｙｎｃは、１ラインが表示されるのにかかる時間を示す。従って、水平同期信号Ｈｓｙｎｃは、１ラインに含まれるピクセルの数に対応するパルスを含む。データイネーブル信号ＤＥは、ピクセルにデータが供給されるのにかかる時間を示す。タイミング制御部１１０は、制御信号ＣＳを利用してパネル駆動部１３０の駆動タイミングを制御するタイミング制御信号１２０を生成する。
【００２５】
パネル駆動部１３０は、タイミング制御部１１０から受信したタイミング制御信号１２０を利用して表示パネル１００を駆動する。
【００２６】
パネル駆動部１３０は、データ駆動部１３２及びゲート駆動部１３４を含むことができる。タイミング制御信号１２０は、データ駆動部１３２の駆動タイミングを制御するための第１制御信号１２０ａ及びゲート駆動部１３４の駆動タイミングを制御するための第２制御信号１２０ｂを含む。第１制御信号１２０ａは、クロック信号、水平開始信号を含んでもよく、第２制御信号１２０ｂは、垂直開始信号を含んでもよい。
【００２７】
データ駆動部１３２は、第１制御信号１２０ａ及び画像信号ＤＳを利用してデータ信号を生成し、生成されたデータ信号をデータラインＤＬに提供する。
【００２８】
ゲート駆動部１３４は、第２制御信号１２０ｂを利用してゲートラインＧＬをアクティブにするゲート信号を生成し、生成されたゲート信号をゲートラインＧＬに提供する。
【００２９】
光源モジュール２００は、複数の発光ダイオードが実装された印刷回路基板を含む。発光ダイオードは、複数のホワイト発光ダイオードを含んでもよい。また、発光ダイオードは、赤色、緑色、及び青色発光ダイオードを含んでもよい。光源モジュール２００は、ｍ×ｎ個の表示ブロックＤＢに対応してｍ×ｎ個の発光ブロックＢに分けられる。発光ブロックＢは、表示ブロックＤＢそれぞれに対応する位置に配置される。発光ブロックＢは、複数個の発光ダイオードを含む。
【００３０】
ローカル調光駆動部３００は、調光信号処理部３１０及び光源駆動部３５０を含む。
【００３１】
調光信号処理部３１０は、外部から入力される制御信号ＣＳ及び画像信号ＤＳを利用して発光ブロックを個別的に駆動するためのローカル調光信号ＬＤＳを生成する。
【００３２】
調光信号処理部３１０は、画像信号ＤＳの階調データを分析して表示ブロックＤＢそれぞれから代表輝度値を抽出し、代表輝度値を利用して発光ブロックそれぞれの光量を制御する調光レベルを決める。例えば、調光信号処理部３１０は、代表輝度値が大きいと、調光レベルを大きくし、代表輝度値が小さいと、調光レベルを小さくする。
【００３３】
調光信号処理部３１０は、モード判断部３１２を更に含むことができる。モード判断部３１２は、光源モジュール２００の駆動モードを判断し、判断された駆動モードによって、光源駆動部３５０を制御する。
【００３４】
光源駆動部３５０は、調光信号処理部３１０から印加された発光ブロック別調光レベルに基づいて光源モジュール２００を駆動する。
【００３５】
本実施形態において、光源駆動部３５０は、複数の駆動チップ、スイッチング部、及びスイッチング制御部を含むことができる。駆動チップは、各々複数の出力チャネル、即ち出力端子を含み、出力端子に接続された複数の駆動ブロックに駆動電圧を出力する。スイッチング部は、各出力端子に並列に接続された複数のスイッチング素子を含み、出力端子に印加される駆動電圧を、スイッチング素子を通じて接続された駆動ブロックに選択的に伝達する。スイッチング制御部は、発光ブロックの内、画像信号ＤＳの階調データに対応する輝度より高い輝度で駆動される特定発光ブロック、例えば、第１発光ブロックが存在する場合、スイッチング素子の内、第１駆動ブロックに接続されたスイッチング素子を、ターンオンし、他の駆動ブロック、即ち第２発光ブロックに接続されたスイッチング素子をターンオフして第１発光ブロックの輝度を増加させる。例えば、光源モジュール２００が８×８の発光ブロックＢを含み、発光ブロックが１６個の駆動ブロックに分けられ、１つの駆動チップに２つの駆動ブロックが接続されると仮定すると、光源モジュール２００を全部同時に駆動するためには、８つの駆動チップを具備しなければならない。１つの駆動チップに２つ以上の発光ブロックを接続することもできるため、その場合駆動チップの個数を更に減らすことができる。
【００３６】
図２は、図１に示す光源駆動部の一駆動例による回路図である。
【００３７】
図１及び図２を参照すると、光源駆動部３５０は、第１駆動チップ３６０、第２駆動チップ３７０、スイッチング部３８０、及びスイッチング制御部３９０を含む。
【００３８】
光源モジュール２００は、第１駆動ブロックＢＤ１及び第２駆動ブロックＢＤ２を含む。第１駆動ブロックＢＤ１及び第２駆動ブロックＢＤ２は、それぞれ複数の発光ブロックＢを含むことができる。例えば、第１駆動ブロックＢＤ１及び第２駆動ブロックＢＤ２は、それぞれ４つの発光ブロックＢを含んでもよい。発光ブロックＢは、それぞれの発光ダイオードが直列に接続されたダイオードストリング（ｓｔｒｉｎｇ）を含むことができる。例えば、発光ブロックＢは、それぞれ複数のホワイト発光ダイオードが直列に接続されたホワイトダイオードストリングを含んでもよい。これとは異なって、発光ブロックＢは、それぞれ複数の赤色発光ダイオードが直列に接続された赤色ダイオードストリング、複数の緑色発光ダイオードが直列に接続された緑色ダイオードストリング、及び複数の青色発光ダイオードが直列に接続された青色ダイオードストリングを含んでもよい。
【００３９】
第１駆動チップ３６０は、第１ＤＣ−ＤＣ変換部３６２及び第１多チャネル電流制御部３６４を含む。
【００４０】
第１ＤＣ−ＤＣ変換部３６２は、スイッチング部３８０を介して第１駆動ブロックＢＤ１及び第２駆動ブロックＢＤ２と電気的に接続される。第１ＤＣ−ＤＣ変換部３６２は、電源部（図示せず）から印加された電圧を、第１駆動ブロックＢＤ１を駆動するための第１駆動電圧Ｖｄ１に変換して出力する。１駆動ブロックＢＤ１及び第２駆動ブロックＢＤ２は、互いに隣接する駆動ブロックであってもよい。
【００４１】
第１多チャネル電流制御部３６４は、第１駆動ブロックＢＤ１及び第２駆動ブロックＢＤ２に含まれる発光ブロックＢの出力端子と電気的に接続された複数の入力チャネルを含む。第１多チャネル電流制御部３６４は、第１駆動ブロックＢＤ１及び／又は第２駆動ブロックＢＤ２から複数のフィードバック信号（ＦＢ１〜ＦＢ８）を受信する。第１多チャネル電流制御部３６４は、フィードバック信号（ＦＢ１〜ＦＢ８）に基づいて各発光ブロックＢの間の電流偏差を除去して、各発光ブロックＢに流れる駆動電流を一定の値に制御することができる。このために、第１多チャネル電流制御部３６４は、第１ＤＣ−ＤＣ変換部３６２から出力される第１駆動電圧Ｖｄ１の大きさを制御するための制御信号ＣＳ１を出力する。
【００４２】
第２駆動チップ３７０は、第２ＤＣ−ＤＣ変換部３７２及び第２多チャネル電流制御部３７４を含む。
【００４３】
第２ＤＣ−ＤＣ変換部３７２は、スイッチング部３８０を通じて第１駆動ブロックＢＤ１及び第２駆動ブロックＢＤ２と電気的に接続される。第２ＤＣ−ＤＣ変換部３７２は、電源部（図示せず）から印加された電圧を、第２駆動ブロックＢＤ２を駆動するための第２駆動電圧Ｖｄ２に変換して出力する。
【００４４】
第２多チャネル電流制御部３７４は、第１駆動ブロックＢＤ１及び第２駆動ブロックＢＤ２に含まれる発光ダイオードＢの出力端子と電気的に接続された複数の入力チャネル、即ち入力端子を含む。第２多チャネル電流制御部３７４は、フィードバック信号（ＦＢ１〜ＦＢ８）に基づいて各発光ブロックＢの間の電流偏差を除去して、各発光ブロックＢに流れる駆動電流を一定の値に制御することができる。このために、第２多チャネル電流制御部３７４は、第２ＤＣ−ＤＣ変換部３７２から出力される第２駆動電圧Ｖｄ２の大きさを制御するための第２制御信号ＣＳ２を出力する。
【００４５】
図３は、図２に示すＤＣ−ＤＣ変換部の回路図である。
【００４６】
図２及び図３を参照すると、第１ＤＣ−ＤＣ変換部３６２及び第２ＤＣ−ＤＣ変換部３７２は、それぞれスイッチングモードパワーサプライ（Ｓｗｉｔｃｈｉｎｇ  Ｍｏｄｅ  Ｐｏｗｅｒ  Ｓｕｐｐｌｙ、以下、ＳＭＰＳと称する）Ｐ、インダクタＬ１、スイッチング素子ＴＲ、ダイオードＤ１、及びキャパシタＣ１を含むことができる。
【００４７】
インダクタＬ１は、一端がＳＭＰＳ（Ｐ）と電気的に接続され、他端がスイッチング素子ＴＲの出力端子及びダイオードＤ１のアノード（ａｎｏｄｅ）端子と電気的に接続される。スイッチング素子ＴＲは、接地端が電気的に接続された入力端子、第１多チャネル電流制御部３６４及び第２多チャネル電流制御部３７４から印加される制御信号ＣＳの入力を受ける制御端と、インダクタＬ１及びダイオードＤ１と電気的に接続される出力端子とを含む。キャパシタＣ１は、一端がダイオードＤ１のカソード（ｃａｔｈｏｄｅ）端子と電気的に接続され、他端が接地端と電気的に接続される。
【００４８】
第１ＤＣ−ＤＣ変換部３６２及び第２ＤＣ−ＤＣ変換部３７２は、スイッチング素子ＴＲの制御端に入力された制御信号ＣＳに応答して第１駆動ブロックＢＤ１及び第２駆動ブロックＢＤ２に印加される第１駆動電圧Ｖｄ１及び第２駆動電圧Ｖｄ２の大きさを調節する。
【００４９】
スイッチング部３８０は、第１スイッチング素子ＴＲ１、第２スイッチング素子ＴＲ２、第３スイッチング素子ＴＲ３、及び第４スイッチング素子ＴＲ４を含む。スイッチング部３８０は、スイッチング制御部３９０から印加された第１、第２、第３、及び第４選択信号（ＳＥ１、ＳＥ２、ＳＥ３、ＳＥ４）に応答して、第１ＤＣ−ＤＣ変換部３６２及び第２ＤＣ−ＤＣ変換部３７２から出力される第１駆動電圧Ｖｄ１及び第２駆動電圧Ｖｄ２を第１駆動ブロックＢＤ１及び第２駆動ブロックＢＤ２に選択的に出力する。
【００５０】
第１スイッチング素子ＴＲ１は、第１ＤＣ−ＤＣ変換部３６２の出力端子と電気的に接続される入力端子、第１駆動ブロックＢＤ１の入力端子と電気的に接続される出力端子及びスイッチング制御部３９０から第１選択信号ＳＥ１の入力を受ける制御端を含む。
【００５１】
第２スイッチング素子ＴＲ２は、第１ＤＣ−ＤＣ変換部３６２の出力端子と電気的に接続される入力端子と、第２駆動ブロックＢＤ２の入力端子と電気的に接続される出力端子と、スイッチング制御部３９０から第２選択信号ＳＥ２の入力を受ける制御端とを含む。
【００５２】
第３スイッチング素子ＴＲ３は、第２ＤＣ−ＤＣ変換部３７２の出力端子と電気的に接続される入力端子と、第１駆動ブロックＢＤ１の入力端子と電気的に接続される出力端子と、スイッチング制御部３９０から第３選択信号ＳＥ３の入力を受ける制御端とを含む。
【００５３】
第４スイッチング素子ＴＲ４は、第２ＤＣ−ＤＣ変換部３７２の出力端子と電気的に接続される入力端子と、第２駆動ブロックＢＤ２の入力端子と電気的に接続される出力端子と、スイッチング制御部３９０から第４選択信号ＳＥ４の入力を受ける制御端とを含む。
【００５４】
スイッチング制御部３９０は、調光信号処理部３１０から受信したモード判断信号に基づいて第１〜第４スイッチング素子ＴＲに第１〜第４選択信号（ＳＥ１〜ＳＥ４）を出力する。第１〜第４選択信号（ＳＥ１〜ＳＥ４）の値は、光源モジュール２００の駆動モードによって変わり得る。例えば、駆動モードが光源モジュール２００を各発光ブロック別に駆動するノーマル（Ｎｏｍａｌ）駆動モードである場合、スイッチング制御部３９０は、第１スイッチング素子ＴＲ１及び第４スイッチング素子ＴＲ４をターンオンし、第２スイッチング素子ＴＲ２及び第３スイッチング素子ＴＲ３をターンオフする選択信号を出力する。これによって、第１駆動ブロックＢＤ１は、第１駆動チップ３６０から出力された第１駆動電圧Ｖｄ１の印加を受け、第２駆動ブロックＢＤ２は、第２駆動チップ３７０から出力された第２駆動電圧Ｖｄ２の印加を受ける。
【００５５】
一方、スイッチング制御部３９０は、光源モジュール２００の駆動モードが特定発光ブロックを画像信号ＤＳの階調データに対応する輝度より高い輝度で駆動する（増加させた輝度）モードである場合、特定発光ブロックが含まれた特定駆動ブロックを除いた他の駆動ブロックの駆動電圧が特定発光ブロックに供給されるようにする選択信号を出力する。例えば、特定発光ブロックを画像信号ＤＳの階調データに対応する輝度より高い輝度で駆動するモードはブースティングモード及びスキャニングモードを含んでもよい。ブースティングモードは、特定発光ブロックをホワイト駆動の時の輝度レベルより数倍高い輝度レベルで駆動するモードである。スキャニングモードは、発光ブロックをライン単位で駆動するモードである。スキャニングモードである場合、ノーマル駆動の時の駆動タイミングを分割してライン単位で駆動するモードであるため、輝度が減少せざるを得ない。従って、スキャニングモードの時、発光ブロックの出力を増加させる必要がある。一例として、第１駆動ブロックＢＤ１をフルホワイト駆動の時の輝度より高い輝度で駆動し、第２駆動ブロックＢＤ２をブラック輝度で駆動しようとする場合、第１スイッチング素子ＴＲ１及び第３スイッチング素子ＴＲ３をターンオンし、第２スイッチング素子ＴＲ２及び第４スイッチング素子ＴＲ４をターンオフする。これによって、第１ＤＣ−ＤＣ変換部３６２から出力された第１駆動電圧Ｖｄ１及び第２ＤＣ−ＤＣ変換部３７２から出力された第２駆動電圧Ｖｄ２が第１駆動ブロックＢＤ１に供給される。従って、第１駆動ブロックＢＤ１をフルホワイト駆動の時の輝度より高い輝度で駆動することができる。
【００５６】
一方、光源駆動部３５０は、各発光ブロックＢの最後端に接続される複数の出力制御スイッチング素子（ＳＲ１〜ＳＲ８）を更に含むことができる。出力制御スイッチング素子（Ｓ１〜Ｓ８）は、発光ブロックＢが点灯する区間ではターンオンされ、発光ブロックＢが消灯する区間ではターンオフされる。
【００５７】
スイッチング制御部３９０は、スイッチング素子（Ｓ１〜Ｓ４）がターンオフされた状態のみでも、第１ＤＣ−ＤＣ変換部３６２及び第２ＤＣ−ＤＣ変換部３７２の出力端子の接続が変更されるようにスイッチング素子（Ｓ１〜Ｓ４）を制御する。
【００５８】
図４は、ブースティングモードの時の光源駆動方法を説明するために示す光源モジュールの平面図である。
【００５９】
図４に示すように、光源モジュール２００は、８×８の発光ブロックＢを含み、発光ブロックＢは、第１駆動ブロックＢＤ１、第２駆動ブロックＢＤ２、第３駆動ブロックＢＤ３、第４駆動ブロックＢＤ４、第５駆動ブロックＢＤ５、第６駆動ブロックＢＤ６、第７駆動ブロックＢＤ７、及び第８駆動ブロックＢＤ８に分けることができる。
【００６０】
光源モジュール２００が、ブラック輝度レベルを有する第１発光領域２００ａとホワイト輝度レベルを有する第２発光領域２００ｂに区分され、第１発光領域２００ａが占める面積が既に設定された基準値である場合、第２発光領域２００ｂは、ブースティングモードで駆動される。つまり、第２発光領域２００ｂは、ノーマル駆動モードでのフルホワイト輝度レベルより高い輝度レベルに駆動される。例えば、ノーマル駆動モードでの第２発光領域２００ｂのフルホワイト輝度が約５００ｎｉｔであるなら、ブースティングモードにおいての第１発光ブロックＢの輝度は約１，０００ｎｉｔまで上昇される。第２発光領域２００ｂを駆動するためには、高い消費電力が必要になる反面、第１発光領域２００ａを駆動するためには、低い消費電力が必要になるか又は消費電力が不要になり得る。従って、スイッチング部３８０の制御を通じて第１発光領域２００ａに供給される駆動電圧を第２発光領域２００ｂに供給するように処理されてもよい。望ましくは、第１発光領域２００ａに該当する駆動ブロックの内、第２発光領域２００ｂに該当する駆動ブロックに隣接する駆動ブロックの駆動電圧が印加されるように処理する。例えば、図４に示すように、第３駆動ブロックＢＤ３及び第４駆動ブロックＢＤ４に含まれる発光ブロックの内、一部の発光ブロックをブースティングさせようとする場合、第３駆動ブロックＢＤ３は、第２駆動ブロックＢＤ２の駆動電圧の供給を受け、第４駆動ブロックＢＤ４は、第５駆動ブロックＢＤ５の駆動電圧の供給を受けるように処理してもよい。
【００６１】
図５は、スキャニングモードの時の光源駆動方法を説明するために示す光源モジュールの平面図である。
【００６２】
図５に示すように、光源モジュール２００は、８×８の発光ブロックＢを含み、発光ブロックＢは、第１駆動ブロックＢＤ１、第２駆動ブロックＢＤ２、第３駆動ブロックＢＤ３、第４駆動ブロックＢＤ４、第５駆動ブロックＢＤ５、第６駆動ブロックＢＤ６、第７駆動ブロックＢＤ７、及び第８駆動ブロックＢＤ８に分けることができる。スキャニングモードの時、光源モジュール２００は、駆動ブロック単位、即ちライン単位で順次に駆動される。
【００６３】
上述のように光源モジュール２００をライン単位で駆動する場合、輝度が減少するため、発光ブロックの出力を増加させる必要がある。現在駆動される駆動ブロックに以前又は次の駆動ブロックの駆動電圧が供給されるように処理することによって、現在の駆動ブロックの輝度を増加させることができる。例えば、図５に示すように、現在駆動しようとする駆動ブロックが第４駆動ブロックＢＤ４である場合、第１〜第３駆動ブロック（ＢＤ１〜ＢＤ３）の内、少なくとも１つの駆動ブロックの駆動電圧が第４駆動ブロックＢＤ４に供給されるように処理してもよい。これとは異なって、第５〜第７駆動ブロック（ＢＤ５〜ＢＤ７）の内、少なくとも１つの駆動ブロックの駆動電圧が第４駆動ブロックＢＤ４に供給されるように処理してもよい。望ましくは、第４駆動ブロックＢＤ４と隣接する第３駆動ブロックＢＤ３又は第５駆動ブロックＢＤ５の駆動電圧が供給されるように処理する。
【００６４】
一方、上述において、スキャニングモードで駆動する時、全ての駆動ブロックに対して、現在駆動されない駆動ブロックの電圧を集中させる方式を例えて説明したが、必ずしもこれに限定されるものではない。即ちスキャニングモードで駆動する場合にも、駆動ブロックの内、ホワイトレベルより高いレベルで駆動させなければならない特定駆動ブロックが存在する場合にのみ、他の駆動ブロックの駆動電圧が特定駆動ブロックに供給されるように処理できることは勿論である。
【００６５】
図６は、図１に示す光源駆動部の他の駆動例による回路図である。
【００６６】
本実施形態による光源駆動部３５０ａは、第１駆動チップ３６０及び第２駆動チップ３７０に複数の駆動ブロックが接続されることを除いては、図２に示す光源駆動部３５０と実質的に同一であるため、同一部材は、同一参照符号で示し、繰り返しになる説明は省略する。
【００６７】
図１及び図６を参照すると、光源駆動部３５０ａは、第１駆動チップ３６０、第２駆動チップ３７０、スイッチング部３８２、及びスイッチング制御部３９０ａを含むことができる。
【００６８】
スイッチング部３８２は、第１スイッチング素子ＴＲ１、第２スイッチング素子ＴＲ２、第３スイッチング素子ＴＲ３、第４スイッチング素子ＴＲ４、第５スイッチング素子ＴＲ５、第６スイッチング素子ＴＲ６、第７スイッチング素子ＴＲ７、及び第８スイッチング素子ＴＲ８を含む。
【００６９】
第１駆動チップ３６０は、第１ＤＣ−ＤＣ変換部３６２及び第１多チャネル電流制御部３６４を含む。第１ＤＣ−ＤＣ変換部３６２は、第１〜第４スイッチング素子（ＴＲ１〜ＴＲ４）を介して接続された複数の駆動ブロックに第１駆動電圧Ｖｄ１を提供する。例えば、第１ＤＣ−ＤＣ変換部３６２は、図６に示すように、第１〜第４スイッチング素子（ＴＲ１〜ＴＲ４）を介して第１駆動ブロックＢＤ１、第２駆動チップＢＤ２、第３駆動ブロックＢＤ３、及び第４駆動ブロックＢＤ４と接続することができる。第１〜第４駆動ブロック（ＢＤ１〜ＢＤ４）は、互いに隣接する駆動ブロックであってもよい。
【００７０】
第２駆動チップ３７０は、第２ＤＣ−ＤＣ変換部３７２及び第２多チャネル電流制御部３７４を含む。第２ＤＣ−ＤＣ変換部３７２は、第５〜第８スイッチング素子（ＴＲ５〜ＴＲ８）を介して接続された複数の駆動ブロックに第２駆動電圧Ｖｄ２を提供する。例えば、第２ＤＣ−ＤＣ変換部３７２は、図６に示すように、第５〜第８スイッチング素子（ＴＲ５〜ＴＲ８）を介して第１駆動ブロックＢＤ１〜第４駆動ブロックＢＤ４と接続することができる。
【００７１】
第１スイッチング素子ＴＲ１は、第１ＤＣ−ＤＣ変換部３６２の出力端子と第１駆動ブロックＢＤ１の入力端子との間に接続されて第１ＤＣ−ＤＣ変換部３６２から出力される第１駆動電圧Ｖｄ１を第１駆動ブロックＢＤ１に伝送する。
【００７２】
第２スイッチング素子ＴＲ２は、第１ＤＣ−ＤＣ変換部３６２の出力端子と第２駆動ブロックＢＤ２の入力端子との間に接続されて第１駆動電圧Ｖｄ１を第２駆動ブロックＢＤ２に伝送する。
【００７３】
第３スイッチング素子ＴＲ３は、第１ＤＣ−ＤＣ変換部３６２の出力端子と第３駆動ブロックＢＤ３の入力端子との間に接続されて第１駆動電圧Ｖｄ１を第３駆動ブロックＢＤ３に伝送する。
【００７４】
第４スイッチング素子ＴＲ４は、第１ＤＣ−ＤＣ変換部３６２の出力端子と第４駆動ブロックＢＤ４の入力端子との間に接続されて第１駆動電圧Ｖｄ１を第４駆動ブロックＢＤ４に伝送する。
【００７５】
第５スイッチング素子ＴＲ５は、第２ＤＣ−ＤＣ変換部３７２の出力端子と第１駆動ブロックＢＤ１の入力端子との間に接続されて第２ＤＣ−ＤＣ変換部３７２から出力される第２駆動電圧Ｖｄ２を第１駆動ブロックＢＤ１に伝送する。
【００７６】
第６スイッチング素子ＴＲ６は、第２ＤＣ−ＤＣ変換部３７２の出力端子と第２駆動ブロックＢＤ２の入力端子との間に接続されて第２駆動電圧Ｖｄ２を第２駆動ブロックＢＤ２に伝送する。
【００７７】
第７スイッチング素子ＴＲ７は、第２ＤＣ−ＤＣ変換部３７２の出力端子と第３駆動ブロックＢＤ３の入力端子との間に接続されて第２駆動電圧Ｖｄ２を第３駆動ブロックＢＤ３に伝送する。
【００７８】
第８スイッチング素子ＴＲ８は、第２ＤＣ−ＤＣ変換部３７２の出力端子と第４駆動ブロックＢＤ４の入力端子との間に接続されて第２駆動電圧Ｖｄ２を第４駆動ブロックＢＤ４に伝送する。
【００７９】
スイッチング制御部３９０ａは、調光信号処理部３１０から受信したモード判断信号に基づいて、第１スイッチング素子ＴＲ１〜第８スイッチング素子ＴＲ８に第１選択信号ＳＥ１〜第８選択信号ＳＥ８を出力する。例えば、光源モジュール２００の駆動全てがノーマル駆動モードである場合、スイッチング制御部３９０ａは、第１スイッチング素子ＴＲ１、第２スイッチング素子ＴＲ２、第７スイッチング素子ＴＲ７、及び第８スイッチング素子ＴＲ８をターンオンし、第３スイッチング素子ＴＲ３〜第６スイッチング素子ＴＲ６）をターンオフする選択信号を出力する。
【００８０】
一方、スイッチング制御部３９０ａは、光源モジュール２００の駆動モードが特定発光ブロックを画像信号ＤＳの階調データに対応する輝度より高い輝度で駆動するモードである場合、第１スイッチング素子ＴＲ１〜第８スイッチング素子〜ＴＲ８を制御し、特定発光ブロックが含まれた特定駆動ブロックに、特定駆動ブロックを除いた他の駆動ブロックを駆動する駆動電圧が印加されるようにする。例えば、特定発光ブロックが第２駆動ブロックＢＤ２に存在すると仮定すれば、スイッチング制御部３９０ａは、第２スイッチング素子ＴＲ２及び第６スイッチング素子ＴＲ６をターンオンして、第１ＤＣ−ＤＣ変換部３６２から出力される第１駆動電圧Ｖｄ１及び第２ＤＣ−ＤＣ変換部３７２から出力される第２駆動電圧Ｖｄ２が第２駆動ブロックＢＤに供給されるようにする。
【００８１】
本実施形態によると、１つのＤＣ−ＤＣ変換部に複数の駆動ブロックを接続できるため、ＤＣ−ＤＣ変換部の個数を減らすことができる。
【００８２】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００８３】
１００    表示パネル
１１０    タイミング制御部
１２０    タイミング制御信号
１２０ａ    第１制御信号
１２０ｂ    第２制御信号
１３０    パネル駆動部
１３２    データ駆動部
１３４    ゲート駆動部
２００    光源モジュール
２００ａ    第１発光領域
２００ｂ    第２発光領域
３００    ローカル調光駆動部
３１０    調光信号処理部
３１２    モード判断部
３５０、３５０ａ    光源駆動部
３６０    第１駆動チップ
３６２    第１ＤＣ−ＤＣ変換部
３６４    第１多チャネル電流制御部
３７０    第２駆動チップ
３７２    第２ＤＣ−ＤＣ変換部
３７４    第２多チャネル電流制御部
３８０、３８２    スイッチング部
３９０、３９０ａ    スイッチング制御部
【図１】
2010122682.tif 000003
【図２】
2010122682.tif 000004
【図３】
2010122682.tif 000005
【図４】
2010122682.tif 000006
【図５】
2010122682.tif 000007
【図６】
2010122682.tif 000008